(57)【要約】      （修正有）【課題】小型軽量で持ち運びが容易であると同時に、男性女性にかかわらず、スナップの開閉を容易にする魚釣り用スナップ開閉具を提供する。【解決手段】スナップ開閉器先端部０１０１、スナップ開閉器握り部０１０２、開閉器後端部０１０３で全体がとげぬき様形態をなし、スナップ開閉器先端部０１０１の先に切り欠き部であるスナップ開閉器先端爪先部０１０４にを有し、両爪の切り欠き部は両爪を閉止した場合に合わさる位置に配置され、両爪の切り欠き部は、市販の魚釣り用スナップのＵ字状フック金属線を係止可能な切り欠き幅である魚釣り用スナップ開閉具。【選択図】図１
2020028271.tif 000002
【特許請求の範囲】
【請求項１】
全体がとげぬき様形態をなし、先端の把持部の両爪に切り欠き部を有する魚釣り用スナップ開閉具。
【請求項２】
両爪の切り欠き部は両爪を閉止した場合に合わさる位置に配置されている請求項１に記載の魚釣り用スナップ開閉具。
【請求項３】
両爪の切り欠き部は、市販の魚釣り用スナップのＵ字状フック金属線を係止可能な切り欠き幅である請求項１又は請求項２に記載の魚釣り用スナップ開閉具。
【発明の詳細な説明】
【技術分野】
【０００１】
本発明は魚釣り用スナップ開閉具に関する。
【背景技術】
【０００２】
釣りはレジャーとしての人気が高まり、一部のマニアのものから幅広い層に親しまれるようになってきている。釣り糸には先糸と道糸がある。先糸は道糸と仕掛け（釣り針、おもりなどをセットにしたもの）の間に付ける釣り糸である道糸は釣り竿のリールに巻いている釣り糸のことであり、両糸は太さがことなる。
【０００３】
前記先糸と道糸とを容易に結べるように、中間にサルカンという両側に輪のついた金具が使われる。サルカンは糸の連結に加え、金具が回転するように作られており、糸のひねりを取るという働きがある。ひねりをとることにより、餌の回転をなくし食いつきをよくする、直結よりも強度が安定し食いちぎられてもサルカンより下に限られるなどの利点がある。さらに下部にスナップのあるスナップ付きサルカンが開発されており容易にかつ迅速に仕掛けのセットや交換が可能なので、釣り糸を結び慣れていない初心者でも確実に取り付けることができるため人気が高い。
【先行技術文献】
【特許文献】
【０００４】
【特許文献１】特快２００２−１４２８２４公報
【発明の概要】
【発明が解決しようとする課題】
【０００５】
スナップ付きサルカンは上記利点がある一方で、押して開き、再度押して閉めるスナップ部の直径１ミリメートルに満たない細い針金状の形状から開閉が難しい。その上、力が必要であり、また確実に閉めずに失敗した例なども絶えない。力のある男性でもうまくはずれないこともあるので、多くの女性にとってスナップは非常に扱いにくいものとなっている。寒く手がかじかんでいる状態でなくても、うまくスナップをはずしたり、装着したりすることは難しい。スナップの開閉を親指の爪で行う男性も多いが、爪が割れることもあるので、爪に化粧をする女性には扱えないのである。
【課題を解決するための手段】
【０００６】
本発明はそのような課題を解決するため、小型軽量で持ち運びが容易で、釣り用のウェアーのポケット等に簡単に入れることができ、かつ取出しも簡単であり、男性女性にかかわらず、スナップの開閉を容易にする魚釣り用スナップ開閉具を提供する。
【０００７】
具体的に本発明では、海等水に触れる機会の多い場所でも耐久力があり、スナップを挟んで開閉できる魚釣り用スナップ開閉具を提供する。
【発明の効果】
【０００８】
本発明により、釣り用スナップを用いる釣りにおいて男女どちらも容易に使用できて、釣りの楽しみを増加させる魚釣り用スナップ開閉具を提供する。
【図面の簡単な説明】
【０００９】
【図１】魚釣り用スナップ開閉具外観図（ａ）、開閉具先端図（ｂ）
【図２】先端を閉じた場合の正面図
【図３】魚釣り用スナップと本発明の開閉具（ａ）、魚釣り用スナップの先端を本発明の開閉具が挟んだ状態の外観図断面図（ｂ）、魚釣り用スナップの先端を本発明の開閉具が挟み押した状態で先端がカバーより外れている状態の説明図（ｃ）
【発明を実施するための形態】
【００１０】
以下に本件発明の実施形態を説明する。
＜実施形態１＞
【００１１】
本発明の魚釣り用スナップ開閉具は全体（図１）がとげぬき様形態をなし、先端の把持部の両爪に切り欠き部（図１：０１０４）を有する。図１は本特許の魚釣り用スナップ開閉具の外観図であり、先端部（図１：０１０１）には上記のように上下に切り欠き部（図１：０１０４）がある。先端部に対し、後端部（図１：０１０３）は金属が曲げによりUの字を描いており、全体を握り、指をあてる部分（図１：０１０２）を押すことにより、弾力が感じられる。すなわち先端部は指をあてる部分に必要な力が加わっていない場合、上下が離れる構造となっている。
【００１２】
魚釣り用スナップ開閉具の寸法は、全長が６０から１３０ミリメートルである。幅（図１：０１０５）は３から１２ミリメートルである。切り欠き部の形状は図１、図２にはＵ字型で描かれているが、この形だけでなくＶ字型、半円状等その他が可能である。Ｖ字状の場合にはスナップの金属線径が多様であっても切り欠きに係止し易いために便利である。またＵ字状であっても、Ｕ字の底の部分が穏やかなカーブを描いていると、Ｖ字状の切り欠きがある場合と同様の効果を得ることができる。切り欠き部の幅（図１：０１１０）は０．３から３．０ミリメートルで、切り欠き部の高さ（図１：０１０９）は０．５から３．０ミリメートルがよい。それぞれ下限値がこれよりも小さくなるとスナップの金属線をつかみ損ねることが多くなり、上限値がこれを超えるとスナップの金属線が切り欠き内で遊びを持ちすぎるからである。ちなみに、スナップの金属線の直径としては、スナップの大小にもよるが、小さいスナップで０．３ミリメートル程度、大きいスナップで１．５ミリメートル程度であり、前記下限値は小さいスナップ向け、前記上限値は大きいスナップ向けである。なお、切り欠きがＶ字状の場合には、Ｖ字の交差角度が３０度から６０度程度が好ましい。３０度よりも急角度であると、太い線径のスナップをつかみづらくなり、６０度よりも広角であると、つかんだスナップにがたつきが生じやすい。なおＶ字の開口部分は０．５ミリから２．５ミリの範囲が最適である。これよりも狭いとスナップが零れ落ちる場合が多くなり、２．５ミリよりも広くなるとスナップを把持した際にがたつきが大きくなる。
【００１３】
上下の先端部（図１：０１０６）の距離は通常３から１４ミリメートル程度となる。下限値３ミリメートルよりも小さくなると、スナップの金属線を爪と爪の間に挿入しがたく、逆に上限値の１４ミリメートルよりも大きくなるとスナップの金属線を挟むために狙いにくくなる。先端部の付け根部（図１：０１０７）の距離は通常が６から１７ミリメートルであり、閉じた場合は３〜４ミリメートルとなる。先端部の最大開き幅（図１：０１０６）は通常が５から１５ミリメートルであり、最大は１５から３０ミリメートルである。後端部の幅（図１：０１０８）は３から８ミリメートルである。
【００１４】
魚釣り用スナップ開閉具の材質はステンレス鋼等錆に対して強い金属が使用される。釣りに使用されることからさびない材料であるか、防錆処理がされていることが好ましくステンレスはさびにくい点で適している。防錆処理としては金属表面に酸化被覆を付すことが考えられる。
＜実施形態２＞
【００１５】
本発明の魚釣り用スナップ開閉具の先端に配置される両爪の切り欠き部（図２：０２０４、０２０５）は両爪を閉止した場合に合わさる位置に配置されている。
【００１６】
図２（０２００）は魚釣り用スナップ開閉具の閉止した状態を正面から見たものである。ここで上側の先端の爪（図２：０２０１）と下側の先端の爪（図２：０２０２）が閉止されると上側の爪の切り欠き部と下側の爪の切り欠き部が合わさり、先端部にスナップを挟み込む空間となっていることがわかる。前記の状態は、上下の指の圧力（図２：０２０３）により切り欠き部が合わさることを示している。
＜実施形態３＞
【００１７】
本発明の魚釣り用スナップ開閉具の両爪の切り欠き部は、市販の魚釣り用スナップのＵ字状フック金属線を係止可能な切り欠き幅となっている。
【００１８】
図３（図３：０３００）は本発明の魚釣り用スナップ開閉具の動作を、魚釣り用スナップと関連させて説明している。図３（ａ）は魚釣り用スナップ（図３：０３０２）の先端に本発明の魚釣り用スナップ開閉具（図３：０３０１）の先端が近付き並んでいる状態である。開閉具はまだスナップに接触しておらず、これからスナップの開閉が行なわれる状態である。
【００１９】
図３（ｂ）は前記図３（ａ）の状況から一歩進み、魚釣り用スナップ開閉器（図３：０３０２）が魚釣り用スナップの先端（図３：０３０３）に当てられている状態であるが、まだ魚釣り用スナップ開閉器には力が加えられていない。
【００２０】
図３（ｃ）は前記図３（ｂ）の、魚釣り用スナップの先端に魚釣り用スナップ開閉器が当てられている状態から、さらに魚釣り用スナップ開閉器（図３：０３０４）に力がかかり、スナップ先端（図３：０３０５）が押されてカバー（図３：０３０６）から外れている状態を示している。この状態で魚釣り用スナップを交換することが可能となる。図３（ｃ）により、魚釣り用スナップ交換が終了すると、再び図３（ａ）に戻り、次の作業を待機する。以上が魚釣りスナップ開閉器と魚釣りスナップの動きとなる。
【符号の説明】
【００２１】
０１０１：魚釣り用スナップ開閉器先端部
０１０２：魚釣り用スナップ開閉器握り部
０１０３：魚釣り用スナップ開閉器後端部
０１０４：魚釣り用スナップ開閉器先端爪先部
０１０５：上側の幅
０１０６：通常の先端開閉幅
０１０７：通常の先端付け根部の幅
０１０８：通常の後端部の幅
０１０９：切り欠き部の高さ
０１１０：切り欠き部の幅
０２０１：魚釣り用スナップ開閉器先端部正面図
０２０２：魚釣り用スナップ開閉器先端部爪先
０２０３：上下からの圧力
０２０４：上側の切り欠き部
０２０５：下側の切り欠き部
０２０６：切り欠き部を合わせた際の長さ
０３０１：通常時のスナップ開閉器先端図
０３０３：スナップに充てた際のスナップ開閉器先端図
０３０５：スナップに力をかけて枠から外す時のナップ開閉器先端図
０３０２：魚釣り用スナップ図
０３０４：スナップ開閉器の先端をあてた状態のスナップ図
０３０６：スナップ開閉器の力で枠から外れた状態のスナップ図 
０３０７：魚釣り用スナップのカバー
【図１】
2020028271.tif 000003
【図２】
2020028271.tif 000004
【図３】
2020028271.tif 000005